(57)【要約】  本発明は津波及び洪水被害防止のための擁壁築造システム及びその施工方法に関し、外周面には複数のインターロッキングブロック用「Ｓ」字状の連結部（１１）が形成され、互いに隣接する他の六角多層インターロッキングブロック（１０）が「Ｓ」字状の連結部（１１）を通じて互いに上下移動可能に結合され、複数列に築造して擁壁を形成する六角多層インターロッキングブロック（１０）を含むことを特徴とする。このような本発明は、波や流水によって構造物の基礎部分が沈下して流失の時、垂直にインターロッキングされたブロックがシャッター（Ｓｈｕｔｔｅｒ）のように下降して沈下した空間を埋めるようになるので、構造物の基礎下部が半永久的に安全を維持するようになり、「Ｓ」字状の連結部と連結部との間の遊隔、そして階段式、重心安全下向き式、扶壁式、花壇式、柱混合式擁壁の構造は幾何学的、構造力学的でも非常に安全で、洪水、津波、地震などの自然災害から被害を効果的に防止するとともに、ブロックを差し込むだけで済み、ブロック本体の広い空間を現地の砂利、砂、土で充填して植生空間として利用すれば、施工期間、工事費用を大きく減少すると同時に自然親和的な堤防と擁壁を築造することができるという効果を奏する。
2013537591.tif 000002
【特許請求の範囲】
【請求項１】
外周面には複数のインターロッキングブロック用「Ｓ」字状の連結部（１１）が形成され、互いに隣接する他の六角多層インターロッキングブロック（１０）が「Ｓ」字状の連結部（１１）を通じて互いに上下移動可能に結合され、複数列に築造して擁壁を形成する六角多層インターロッキングブロック（１０）を含むことを特徴とする津波及び洪水被害防止のための擁壁築造システム。
【請求項２】
前記六角多層インターロッキングブロック（１０）は、擁壁や堤防の下部が海水によって浸蝕されても六角多層インターロッキングブロック（１０）が下降して浸蝕された部分を埋め、６つの六角柱型ブロック（２０）が結合された面積で外周面を形成した中空状であることを特徴とする請求項１に記載の津波及び洪水被害防止のための擁壁築造システム。
【請求項３】
上下が貫通された３つの空間に区画されたブロックで、中央区画部（３１）を中心に内部区画部（３２）及び外部区画部（３３）が区画され、前記中央区画部（３１）の両側面には中央「Ｓ」字状の連結部（３１ａ）が形成されて隣接するブロックと結合され、前記内部区画部（３２）及び外部区画部（３３）の両側面にも上部「Ｓ」字状の連結部（３２ａ）及び下部「Ｓ」字状の連結部（３３ａ）がそれぞれ形成されて隣接するブロックと結合されるようになっている重心安全下向き式ブロック（３０）を含むことを特徴とする津波及び洪水被害防止のための擁壁築造システム。
【請求項４】
前記内部区画部（３２）及び外部区画部（３３）の両側端部は、αの角度に形成されており、中央区画部（３１）の両側面より狭くなっており、重心安全下向き式ブロック（３０）を複数連結する時、曲線型に連結することができることを特徴とする請求項３に記載の津波及び洪水被害防止のための擁壁築造システム。
【請求項５】
前記重心安全下向き式ブロック（３０）の内部区画部（３２）の長手方向の側面に六角柱型ブロック（２０）と結合される長手方向「Ｓ」字状の連結部（３２ｂ）が形成されることを特徴とする請求項４に記載の津波及び洪水被害防止のための擁壁築造システム。
【請求項６】
前記重心安全下向き式ブロック（３０）の外部区画部（３３）の長手方向の側面に六角柱型ブロック（２０）と結合される長手方向「Ｓ」字状の連結部（３３ｂ）が形成されることを特徴とする請求項５に記載の津波及び洪水被害防止のための擁壁築造システム。
【請求項７】
多層に擁壁が築造される前記重心安全下向き式ブロック（３０）の最下部には、擁壁側である内部区画部（３２）側での高さ（ｈ）が外部区画部（３３）側での高さ（Ｈ）より低く形成され、鉛直線に対して擁壁側に傾斜された安息角（β）が形成された安息角傾斜式底部ブロック（４０）をさらに含むことを特徴とする請求項３に記載の津波及び洪水被害防止のための擁壁築造システム。
【請求項８】
斜面に隣接した内部区画部（３２）には砂利、砂または土砂を混合して上端まで充填し、中央区画部（３１）には中間まで充填し、外部区画部（３３）には擁壁高さの１／３まで砂利、砂または土砂を充填して、重心が下向きされた安定される構造の擁壁を築造することを特徴とする津波及び洪水被害防止のための擁壁築造システムの施工方法。
【請求項９】
複数の六角柱型ブロック（２０）で築造されたメイン擁壁（５１）と、前記メイン擁壁（５１）の後部側に傾斜するように形成され、前記メイン擁壁（５１）に対して垂直方向に築造された複数の扶壁式擁壁（５０）とを含むことを特徴とする津波及び洪水被害防止のための擁壁築造システム。
【請求項１０】
複数の六角柱型ブロック（２０）で築造されたメイン擁壁（５１）と、前記メイン擁壁（５１）の後部側に複数の花壇を形成するように築造された複数の花壇式擁壁（６０）とを含むことを特徴とする津波及び洪水被害防止のための擁壁築造システム。
【請求項１１】
複数の六角柱型ブロック（２０）で築造されたメイン擁壁（５１）と、前記メイン擁壁（５１）の後部側に所定間隔を隔てて７つの六角柱型ブロック（２０）で複数の柱を形成した柱式擁壁（７０）とを含むことを特徴とする津波及び洪水被害防止のための擁壁築造システム。
【発明の詳細な説明】
【技術分野】
【０００１】
本発明は津波及び洪水被害防止のための擁壁築造システム及びその施工方法に関し、より詳しくは、インターロッキングブロックを利用して基礎沈下、流失、転倒を防止し、水平及び垂直インターロッキング機能が卓越な六角形、六角形多層、五角形、四角形ブロックなどを用いて海岸及び河川、陸地で堤防及び擁壁を築造することで、波及び流水による基礎沈下、流失、そして転倒を防止し、津波（海底地震）、洪水、地震など各種災害の発生の時にも「Ｓ」字状の連結部のインターロッキング組み立て式、階段式、重心安全下向き式、扶壁式、花壇式、柱混合式などの幾何学的、構造工学的特性によって、非常に安全な堤防及び擁壁を築造することができるようにする津波及び洪水被害防止のための擁壁築造システム及びその施工方法に関する。
【背景技術】
【０００２】
２１世紀に入ってから全世界的に大規模の洪水、地震、津波（海底地震）などの天災地変性の災害が発生している。
【０００３】
しかし、未だに効果的な防止対策や工法が開発されていなく、その被害が日々に増加しており、今は世界のどこも自然災害から安全が保障された地域を捜すことができなくなった。
【０００４】
特に、海で発生した地震によって津波が低地帯海岸を襲う場合には、うまく対処できない実情があり、津波が通過した所は施設の跡や人の死骸さえ捜すことができないほど被害の程度が非常に悽惨で、原状復旧さえほとんど不可能である。
【０００５】
ところが、現在までに開発された既存の技術では上記の問題点を解決することが困難であり、工事期間が長く、工事費用が非常に高い。このような実情から、不幸な歴史が持続している。
【０００６】
図１〜図３は従来の堤防が波や流水の海水による浸蝕によって崩壊される現象を示した断面図で、一般的な堤防の場合、堤防の下部が波や流水によって浸蝕が繰り返されて結局図３のように崩壊される。
【発明の概要】
【発明が解決しようとする課題】
【０００７】
本発明は上記のような問題点を解決するために案出されたもので、水平及び垂直にインターロッキングが卓越な六角形、六角形多層、五角形、四角形ブロックを利用して、海岸及び河川、陸地で組み立て式堤防及び擁壁を築造して波及び流水による基礎沈下、流失、転倒を根本的に防止し、特に、波や流水によって構造物の基礎部分が沈下され、流失時、垂直にインターロッキングされたブロックがシャッターのように下降して沈下された空間を防ぐようになるので、構造物の基礎下部が半永久的に安全を維持するようになり、「Ｓ」字状の連結部と連結部との間の遊隔そして階段式、重心安全下向き式、扶壁式、花壇式、柱混合式構造は幾何学的、構造力学的にも非常に安全で、洪水、津波、地震などの自然災害から被害を効果的に防止するとともに、ブロックを差し込むだけで済み、ブロック本体の広い空間を現地の砂利、砂、土で充填して植生空間として利用すれば、施工期間、工事費用を大きく減少させると同時に、自然親和的な堤防と擁壁を築造することができる津波及び洪水被害防止のための擁壁築造システム及びその施工方法を提供することにある。
【課題を解決するための手段】
【０００８】
本発明の第１実施例による津波及び洪水被害防止のための擁壁築造システムは、その外周面には複数のインターロッキングブロック用「Ｓ」字状の連結部が形成され、互いに隣接する他の六角多層インターロッキングブロックが「Ｓ」字状の連結部を通じて互いに上下移動可能に結合され、複数列で築造して擁壁を形成する六角多層インターロッキングブロックを含むことを特徴とする。
【０００９】
上記六角多層インターロッキングブロックは、擁壁や堤防の下部が海水によって浸蝕されても、六角多層インターロッキングブロックが下降して浸蝕された部分を埋めるようになり、６つの六角柱型ブロックを結合した面積で外周面を形成した中空状であることを特徴とする。
【００１０】
また、本発明の第２実施例による津波及び洪水被害防止のための擁壁築造システムは、上下が貫通された３つの空間に区画されたブロックで、中央区画部を中心に内、外部区画部が区画されており、上記中央区画部の両側面には中央「Ｓ」字状の連結部が形成されて隣接するブロックと結合され、上記内、外部区画部の両側面にも上、下部「Ｓ」字状の連結部がそれぞれ形成されて隣接するブロックと結合されるようになっている重心安全下向き式ブロックを含むことを特徴とする。
【００１１】
上記内、外部区画部の両側端部は、αの角度に形成されており、中央区画部の両側面より狭くなっており、重心安全下向き式ブロックを複数連結する時、曲線型に連結することができることを特徴とする。
【００１２】
上記重心安全下向き式ブロックの内部区画部の長手方向の側面に六角柱型ブロックと結合される長手方向「Ｓ」字状の連結部３２ｂが形成されることを特徴とする。
【００１３】
上記重心安全下向き式ブロックの外部区画部の長手方向の側面に六角柱型ブロックと結合される長手方向「Ｓ」字状の連結部が形成されることを特徴とする。
【００１４】
多層に擁壁が築造される上記重心安全下向き式ブロック３０の最下部には、擁壁側である内部区画部側での高さｈが外部区画部側での高さＨより低く形成され、鉛直線に対して擁壁内側に傾斜した安息角βが形成された安息角傾斜式底部ブロックをさらに含むことを特徴とする。
【００１５】
本発明の津波及び洪水被害防止のための擁壁築造システムの施工方法は、斜面に隣接した内部区画部には砂利、砂または土砂を混合して上端まで充填して、中央区画部には中間まで充填し、外部区画部には擁壁高さの１／３まで砂利、砂または土砂を充填して、重心が下向きされた安定された構造の擁壁を築造することを特徴とする津波及び洪水被害防止のための擁壁築造システムの施工方法である。上記六角多層インターロッキングブロックは、擁壁や堤防の下部が海水によって浸蝕されても六角多層インターロッキングブロックが下降して浸蝕された部分を埋め、その内周面に６つの六角柱型ブロックが挿入結合されることを特徴とする。
【発明の効果】
【００１６】
本発明の津波及び洪水被害防止のための擁壁築造システム及びその施工方法によれば、水平及び垂直にインターロッキングが卓越な六角形、六角多層、五角形、四角形ブロックを利用して海岸及び河川、陸地で組み立て式堤防及び擁壁を築造して波及び流水から基礎沈下、流失、転倒を根本的に防止し、特に、波や流水によって構造物の基礎部分が沈下され、流失時、垂直にインターロッキングされたブロックがシャッター（Ｓｈｕｔｔｅｒ）のように下降して沈下された空間を埋めるようになるので、構造物の基礎下部が半永久的に安全を維持するようになり、「Ｓ」字状の連結部と連結部との間の遊隔、そして階段式、重心安全下向き式、安息角傾斜式の構造は幾何学的、構造力学的でも非常に安全で、洪水、津波、地震などの自然災害から被害を効果的に防止するとともに、ブロックを差し込むだけで済み、ブロック本体の広い空間を現地の砂利、砂、土で充填して植生空間として利用すれば、施工期間、工事費用を大きく減少し、且つ自然親和的な堤防と擁壁を築造することができるようにする効果を奏する。
【図面の簡単な説明】
【００１７】
【図１】従来の擁壁を示した断面図である。
【図２】従来の擁壁を示した断面図である。
【図３】従来の擁壁を示した断面図である。
【図４】本発明の擁壁を示した断面図である。
【図５】本発明の擁壁を示した断面図である。
【図６】本発明の擁壁を示した断面図である。
【図７】本発明の他の実施例の擁壁を示した断面図である。
【図８】本発明の六角柱型ブロックと六角多層インターロッキングブロックで擁壁を築造した断面図である。
【図９】本発明の六角柱型ブロックと六角多層インターロッキングブロックで擁壁を築造した平面図である。
【図１０】本発明の六角インターロッキングブロックで階段式擁壁を築造した断面図である。
【図１１】本発明の六角柱型ブロックで階段式擁壁を築造した平面図である。
【図１２】本発明の六角多層インターロッキングブロックで階段式擁壁を築造した平面図である。
【図１３】本発明の６つの六角柱型ブロックが結合された面積で外周面を形成した中空の六角多層インターロッキングブロックを示した斜視図である。
【図１４】本発明の重心安全下向き式ブロックで擁壁を築造した斜視図である。
【図１５】本発明の重心安全下向き式ブロックを示した断面図である。
【図１６】本発明の重心安全下向き式ブロックの重心を示した図面である。
【図１７】本発明の重心安全下向き式ブロックを詳細に示した平面図である。
【図１８】本発明の重心安全下向き式ブロックの最下部に安息角傾斜式ブロックを築造したことを示した断面図である。
【図１９】本発明の重心安全下向き式ブロックを曲線型に築造施工した例を示した平面図である。
【図２０】本発明の重心安全下向き式ブロックの他の形態を詳細に示した図面である。
【図２１】本発明の重心安全下向き式ブロックのまた他の形態を詳細に示した図面である。
【図２２】本発明の扶壁式擁壁を示した斜視図である。
【図２３】本発明の花壇式擁壁を示した斜視図である。
【図２４】本発明の柱混合式擁壁を示した斜視図である。
【発明を実施するための形態】
【００１８】
本発明の第１実施例による津波及び洪水被害防止のための擁壁築造システムは、その外周面には複数のインターロッキングブロック用「Ｓ」字状の連結部が形成され、互いに隣接する他の六角多層インターロッキングブロックが「Ｓ」字状の連結部を通じて互いに上下移動可能に結合され、複数列築造して擁壁を形成する六角多層インターロッキングブロックを含むことを特徴とする。
【００１９】
また、本発明の第２実施例による津波及び洪水被害防止のための擁壁築造システムは、上下が貫通された３つの空間に区画されたブロックで、中央区画部を中心に内、外部区画部が区画され、上記中央区画部の両側面には中央「Ｓ」字状の連結部が形成されて隣接するブロックと結合され、上記内、外部区画部の両側面にも上、下部「Ｓ」字状の連結部がそれぞれ形成されて隣接するブロックと結合されるようになっている重心安全下向き式ブロックを含むことを特徴とする。
【００２０】
以下、本発明の好ましい実施例を添付された図面を通じて詳しく説明する。本発明を説明するにおいて、係わる公知構成または機能に対する具体的な説明が本発明の要旨を不明確にすると判断される場合には、その詳細な説明を省略する。
【００２１】
図４〜図６は本発明の擁壁を示した断面図で、図７は本発明の他の実施例の擁壁を示した断面図で、図８は本発明の六角柱型ブロックと六角多層インターロッキングブロックで擁壁を築造した断面図で、図９は本発明の六角柱型ブロックと六角多層インターロッキングブロックで擁壁を築造した平面図で、図１０は本発明の六角インターロッキングブロックで階段式擁壁を築造した断面図で、図１１は本発明の六角柱型ブロックで階段式擁壁を築造した平面図で、図１２は本発明の六角多層インターロッキングブロックで階段式擁壁を築造した平面図で、図１３は本発明の６つの六角形柱型ブロックが結合された面積で外周面を形成した中空の六角多層インターロッキングブロックを示した斜視図で、図１４は本発明の重心安全下向き式ブロックで擁壁を築造した斜視図で、図１５は本発明の重心安全下向き式ブロックを示した断面図で、図１６は本発明の重心安全下向き式ブロックの重心を示した図面で、図１７は本発明の重心安全下向き式ブロックを詳細に示した平面図で、図１８は本発明の重心安全下向き式ブロックの最下部に安息角傾斜式ブロックを築造したことを示した断面図で、図１９は本発明の重心安全下向き式ブロックを曲線型で築造施工した例を示した平面図で、図２０は本発明の重心安全下向き式ブロックの他の形態を詳細に示した図面で、図２１は本発明の重心安全下向き式ブロックのまた他の形態を詳細に示した図面で、図２２は本発明の扶壁式擁壁を示した斜視図で、図２３は本発明の花壇式擁壁を示した斜視図で、図２４は本発明の柱混合式擁壁を示した斜視図である。
【００２２】
図４〜図６に示したように、擁壁を築造する際に、六角柱型ブロック２０、六角多層インターロッキングブロック１０を垂直に複数列築造して擁壁を形成する。
【００２３】
上記六角多層インターロッキングブロック１０は、その外周面には複数のインターロッキングブロック用「Ｓ」字状の連結部１１が形成され、互いに隣接する他の六角多層インターロッキングブロック１０が「Ｓ」字状の連結部１１を通じて連結結合される。このように連結結合された六角多層インターロッキングブロック１０は互いに上下移動可能に結合され、図２のように、擁壁や堤防の下部が海水によって浸蝕されても六角柱型ブロック２０または六角多層インターロッキングブロック１０が下降して浸蝕された部分を埋めるようになる。
【００２４】
このように、海辺堤防の場合、結合状態で垂直に移動可能なブロック、即ち、六角柱型ブロック２０や上記六角多層インターロッキングブロック１０のようなブロックで堤防を築造する場合、海水の浸蝕による基礎沈下部分を上記ブロックで埋めるようになる。
【００２５】
上記六角多層インターロッキングブロック１０は図１３に詳しく示されている。
【００２６】
上記六角多層インターロッキングブロック１０は６つの六角柱型ブロック２０が結合された面積で外周面を形成した中空のインターロッキングブロックである。
【００２７】
上記六角柱型ブロック２０は、中央に円形孔２１が穿孔された正六角形柱型のブロックで、その六角面２２のそれぞれに長手方向に「Ｓ」字状の連結部２３が同一に形成されている。ここで、「Ｓ」字状の連結部２３は六角面２２を基準に外側に突出された長手方向突起２３ａと、上記六角面２２を基準に内側に凹溝が形成された長手方向溝２３ｂとで構成される。
【００２８】
上記六角多層インターロッキングブロック１０は施工の時または施工後、その内部に土砂、砂利、コンクリートなどを充填して自重を大きくして、図１０〜図１２のように階段式で築造することもできる。
【００２９】
図１４〜図１６は重心安全下向き式ブロックで擁壁を築造したことを示した図面である。即ち、上記重心安全下向き式ブロック３０は上下が貫通された３つの空間に区画されたブロックで、図１７に示された詳細図のように、中央区画部３１を中心に内部区画部３２及び外部区画部３３が区画されている。
【００３０】
上記中央区画部３１の両側面には中央「Ｓ」字状の連結部３１ａが形成されて隣接するブロックと結合されるようになっている。
【００３１】
そして、上記内部区画部３２及び外部区画部３３の両側面にも上部「Ｓ」字状の連結部３２ａ及び下部「Ｓ」字状の連結部３３ａがそれぞれ形成されて隣接するブロックと結合されるようになっている。
【００３２】
上記内部区画部３２及び外部区画部３３の両側端部は、αの角度に形成されており、中央区画部３１の両側面よりさらに狭くなっており、図１９のように重心安全下向き式ブロック３０を複数連結する時、曲線型に連結することができる。
【００３３】
このように、複数の空間に区画された重心安全下向き式ブロック３０は図１５のように築造して、斜面に隣接した内部区画部３２には砂利、砂または土砂を混合して上端まで充填し、中央区画部３１には中間まで充填し、外部区画部３３には擁壁高さの１／３まで砂利、砂または土砂を充填して擁壁を形成することができる。このように、砂利、砂または土砂を階段式に充填して擁壁を築造するとその重心が図１６のように下向きになるので、非常に安定した構造の擁壁になる。
【００３４】
上記のように充填される１ｍ３当りの材料別質量は下記の表１の通りである。
【００３５】
【表１】
2013537591.tif 000003
【００３６】
図２１は本発明の重心安全下向き式ブロックの他の形態を示した断面図で、重心安全下向き式ブロック３０の内部区画部３２の長手方向の側面に六角柱型ブロック２０と結合される長手方向「Ｓ」字状の連結部３２ｂが形成されている。
【００３７】
図２０は本発明の重心安全下向き式ブロックのまた他の形態を示した断面図で、上記重心安全下向き式ブロック３０の外部区画部３３の長手方向の側面に六角柱型ブロック２０と結合される長手方向「Ｓ」字状の連結部３３ｂが形成されている。
【００３８】
上記のように、六角多層インターロッキングブロック１０は鉛直方向に「Ｓ」字状の連結部の突部を溝部に差し込んで、波、流水により地盤の空間が発生時、その流失された空間にブロックが下降して基礎の沈下を自動的に遮断するようになり、重心安全下向き式ブロック３０を利用した擁壁築造システムは幾何学的、構造工学的に安全度を極大化させる効果を奏し、このブロック３０で充填する時用いられる材料で比重の大きいものを構造物の下部と内部側へ充填して転倒の危険を防止するという効果を奏する。
【００３９】
また、図１８のように、多層に擁壁が築造される上記重心安全下向き式ブロック３０の最下部には、擁壁側である内部区画部３２側での高さｈが外部区画部３３側での高さＨより低く形成され、鉛直線に対して擁壁側に傾斜された安息角βが形成された安息角傾斜式底部ブロック４０を築造して擁壁を形成している。
【００４０】
図２２に示されたような擁壁は扶壁式擁壁で、複数の六角柱型ブロック２０で築造されたメイン擁壁５１と、上記メイン擁壁５１の後部側に傾斜するように形成されて、上記メイン擁壁５１に対して垂直方向に築造された複数の扶壁式擁壁５０とで構成される。
【００４１】
図２３に示されたような擁壁は花壇式擁壁で、複数の六角柱型ブロック２０で築造されたメイン擁壁５１と、上記メイン擁壁５１の後部側に複数の花壇を形成するように築造された複数の花壇式擁壁６０とで構成される。
【００４２】
図２４に示されたような擁壁は柱混合式擁壁で、複数の六角柱型ブロック２０で築造されたメイン擁壁５１と、上記メイン擁壁５１の後部側に所定間隔を隔てて７つの六角柱型ブロック２０で複数の柱を形成した柱式擁壁７０とで構成される。
【００４３】
上記のように、本発明の詳細な説明で具体的な実施例について説明したが、本発明の技術が当業者によって容易に変形実施されることができることは自明であり、このように変形された実施例は本発明の特許の請求の範囲に記載された技術思想に属するとすべきである。
【図１】
2013537591.tif 000004
【図２】
2013537591.tif 000005
【図３】
2013537591.tif 000006
【図４】
2013537591.tif 000007
【図５】
2013537591.tif 000008
【図６】
2013537591.tif 000009
【図７】
2013537591.tif 000010
【図８】
2013537591.tif 000011
【図９】
2013537591.tif 000012
【図１０】
2013537591.tif 000013
【図１１】
2013537591.tif 000014
【図１２】
2013537591.tif 000015
【図１３】
2013537591.tif 000016
【図１４】
2013537591.tif 000017
【図１５】
2013537591.tif 000018
【図１６】
2013537591.tif 000019
【図１７】
2013537591.tif 000020
【図１８】
2013537591.tif 000021
【図１９】
2013537591.tif 000022
【図２０】
2013537591.tif 000023
【図２１】
2013537591.tif 000024
【図２２】
2013537591.tif 000025
【図２３】
2013537591.tif 000026
【図２４】
2013537591.tif 000027
【国際調査報告】
2013537591.tif 000028
2013537591.tif 000029
2013537591.tif 000030
2013537591.tif 000031